(57)【特許請求の範囲】
【請求項１】
矩形形状の板状体が、折り曲げ可能な区画線又は切取線により、５行×３列の矩形形状の区分体に画設されており、
行方向に対する垂線を対称軸として、前記各区分体が左右対称に形成されており、組立時において直方体形状となる組立式トイレであって、
第１側面部を形成する第１行部と、
前記第１行部に隣接し、上面部を形成する第２行部と、
前記第２行部に隣接し、前記第１側面部に対向する第３側面部を形成する第３行部と、
前記第３行部に隣接し、少なくとも第２側面部、前記第２側面部に対向する第４側面部及び底面部を形成する第４行部と、
前記第４行部に隣接し、前記上面部の第１補強部及び前記上面部の第２補強部と、前記第１側面部を形成する第５行部と、を備え、
前記上面部に開口部が形成されており、
前記第１補強部及び前記第２補強部は、前記組立時において、前記行方向に直行する複数本の区画線により波形形状部が形成され、前記第１補強部は前記第２側面部にそって、前記第２補強部は前記第４側面部にそって、それぞれ、その全域にわたって配置可能であること、を特徴とする組立式トイレ。
【請求項２】
矩形形状の板状体が、折り曲げ可能な区画線又は切取線により、５行×３列の矩形形状の区分体に画設されており、組立時において直方体形状となる組立式トイレであって、
第１側面部と、上面部の第３補強部とを形成する第１行部と、
前記第１行部に隣接し、前記上面部と、前記上面部の第３補強部とを形成する第２行部と、
前記第２行部に隣接し、前記第１側面部に対向する第３側面部を形成する第３行部と、
前記第３行部に隣接し、少なくとも第２側面部、前記第２側面部に対向する第４側面部及び底面部を形成する第４行部と、
前記第４行部に隣接し、前記上面部の第１補強部及び前記上面部の第２補強部と、前記第１側面部を形成する第５行部と、を備え、
前記上面部に開口部が形成されており、
前記第１補強部及び前記第２補強部は、前記組立時において、行方向に直行する複数本の区画線により波形形状部が形成され、前記第１補強部は前記第２側面部にそって、前記第２補強部は前記第４側面部にそって、それぞれ、前記第２側面部及び前記第４側面部の辺長の少なくとも１／２以上の部分に配置可能であるとともに、
前記第３補強部は、前記行方向の一本又は複数本の区画線により、筒状部又は側面視で開口部が下向きであるコ字状部が形成されるように構成されており、前記第３側面部にそって配置されていること、を特徴とする組立式トイレ。
【請求項３】
矩形形状の板状体が、折り曲げ可能な区画線又は切取線により、５行×３列の矩形形状の区分体に画設されており、組立時において直方体形状となる組立式トイレであって、
第１側面部と、上面部の第３補強部とを形成する第１行部と、
前記第１行部に隣接し、前記上面部と、前記上面部の第３補強部とを形成する第２行部と、
前記第２行部に隣接し、前記第１側面部に対向する第３側面部を形成する第３行部と、
前記第３行部に隣接し、少なくとも第２側面部、前記第２側面部に対向する第４側面部及び底面部を形成する第４行部と、
前記第４行部に隣接し、前記上面部の第１補強部及び前記上面部の第２補強部と、前記第１側面部を形成する第５行部と、を備え、
前記上面部に開口部が形成されており、
前記第１補強部は、前記組立時において、
行方向に直行する複数本の区画線により区画され、前記行方向の一本又は複数本の区画線により、前記第１側面部に近接した位置に配置可能である第１側面部近接部と、
前記第２側面部にそって、前記第２側面部の辺長の少なくとも１／２以上の部分にそって配置可能である第２側面部方向部とを備え、
前記第２補強部は、前記組立時において、
前記行方向に直行する複数本の区画線により区画され、前記行方向の一本又は複数本の区画線により、前記第１側面部に近接した位置に配置可能である第１側面部近接部と、
前記第４側面部にそって、前記第４側面部の辺長の少なくとも１／２以上の部分にそって配置可能である第４側面部方向部とを備えるとともに、
前記第３補強部は、前記行方向の一本又は複数本の区画線により、筒状部又は側面視で開口部が下向きであるコ字状部が形成されるように構成されており、前記第３側面部にそって配置されていること、を特徴とする組立式トイレ。
【請求項４】
前記第２行部は、中央第２区分体と、前記中央第２区分体を挟んで配置されている右第２区分体と左第２区分体から形成され、
少なくとも、前記右第２区分体及び前記左第２区分体の一方と、前記中央第２区分体とが所定の前記区画線に沿って折り曲げられて重ね合わせられることにより前記上面部が形成されており、
さらに、前記右第２区分体及び前記左第２区分体の一方と、前記中央第２区分体とには開口部が形成され、前記各開口部が連通していることを特徴とする請求項１乃至請求項３  のいずれか１項に記載の組立式トイレ。
【請求項５】
前記第２行部における、少なくとも２つの前記各開口部のうち、さらに少なくとも一つには、折り返し可能である前記第１補強部及び前記第２補強部の移動防止片が形成されていることを特徴とする請求項１乃至請求項４のいずれか１項に記載の組立式トイレ。
【請求項６】
前記第２行部における、少なくとも２つの前記各開口部のうち、さらに少なくとも一つには、折り返し可能である袋体係止片が形成されていることを特徴とする請求項１乃至請求項５のいずれか１項に記載の組立式トイレ。
【発明の詳細な説明】
【技術分野】
【０００１】
本発明は組立式である簡易トイレに関する。
【背景技術】
【０００２】
地震や台風等の非常時には、多数の地域住民が避難所等において集団生活をすることも多く、その場合には、排泄物の処理が避けては通れない問題となる。そのような非常時において、移動式の小型トイレを大量に調達することは費用、運搬等の点からは難しいことも多く、仮に可能であったとしても、所定の広さを有する設置場所が必要となる。そこで、予め準備可能であり、設置場所の制約も少ない組立式トイレ（組み立て式アーチ型簡易トイレ）が提案されている。図１４、図１５に示されているように、この簡易トイレＳは、予め複数の区画線（折り目形成線）が形成されている段ボールであって、当該区画線を境に、所定順序で折り返してアーチ形状に形成することができるようになっている（特許文献１）。
【先行技術文献】
【特許文献】
【０００３】
【特許文献１】特開平１０−１９２１８９号公報
【発明の概要】
【発明が解決しようとする課題】
【０００４】
しかしながら、成人男性等が繰り返して使用する簡易トイレを念頭においた場合には、所定の加重に耐えうる構造としなければならないが、従来の簡易トイレＳは、側面中間部９０の強度が弱くなってしまうという問題点を有していた。
また、従来のトイレＳは、組み立て後に、アーチ形状となるように形成されているため、加工の際に複雑となり、また、使用材料のロスが生じてしまうため、コストアップにつながってしまうとういう問題点を有していた。
【０００５】
本発明は、上記の各問題点を解決するためになされたものであり、使用材料の無駄を極力なくし、簡易な構造で、所定強度を有し、繰り返して使用することを可能とした組立式トイレを提供することを目的とする。
【課題を解決するための手段】
【０００６】
上記課題を解決するために、本発明の組立式トイレは、矩形形状の板状体が、折り曲げ可能な区画線又は切取線により、５行×３列の矩形形状に画設されており、各行を構成する各区分体の縦長がそれぞれ等しく（但し、異なる行における縦長は異なっていてもよい）、かつ、各列を構成する各区分体の横長がそれぞれ等しく、行方向に対する垂線を対称軸として、上記各区分体が左右対称に形成されており、組立時において直方体形状となる組立式トイレであって、第１側面部を形成する第１行部と、上記第１行部に隣接し、上面部を形成する第２行部と、上記第２行部に隣接し、上記第１側面部に対向する第３側面部を形成する第３行部と、上記第３行部に隣接し、少なくとも第２側面部、上記第２側面部に対向する第４側面部及び底面部を形成する第４行部と、上記第４行部に隣接し、上記上面部の第１補強部、上記上面部の第２補強部及び上記第１側面部を形成する第５行部と、を備え、上記上面部に開口部が形成されており、上記第１補強部及び上記第２補強部は、上記組立時において、上記行方向に直行する複数本の区画線により波形形状部が形成され、上記第２側面部又は上記第４側面部にそって、その全域にわたって配置可能であること、を特徴としている。
【０００７】
また、本発明の組立式トイレは、矩形形状の板状体が、折り曲げ可能な区画線又は切取線により、５行×３列の矩形形状に画設されており、各行を構成する各区分体の縦長がそれぞれ等しく（但し、異なる行における縦長は異なっていてもよい）、かつ、各列を構成する各区分体の横長がそれぞれ等しく、行方向に対する垂線を対称軸として、上記各区分体の基本形状（区画線の入れ方等は必ずしも左右対称でない場合がある）が左右対称に形成されており、組立時において直方体形状となる組立式トイレであって、第１側面部と、上面部の第３補強部とを形成する第１行部と、上記第１行部に隣接し、上記上面部と、上記上面部の第３補強部とを形成する第２行部と、上記第２行部に隣接し、上記第１側面部に対向する第３側面部を形成する第３行部と、上記第３行部に隣接し、少なくとも第２側面部、上記第２側面部に対向する第４側面部及び底面部を形成する第４行部と、上記第４行部に隣接し、上記上面部の第１補強部及び上記上面部の第２補強部と、上記第１側面部を形成する第５行部と、を備え、前記上面部に開口部が形成されており、上記第１補強部及び上記第２補強部は、上記組立時において、上記行方向に直行する複数本の区画線により波形形状部が形成され、上記第１補強部は上記第２側面部にそって、上記第２補強部は上記第４側面部にそって、それぞれ、上記第２側面部及び上記第４側面部の辺長の少なくとも１／２以上の部分に配置可能であるとともにとともに、上記第３補強部は、上記行方向の一本又は複数本の区画線により、筒状部又は側面視で開口部が下向きであるコ字状部が形成されるように構成されており、上記第３側面部にそって配置されているものとすることもできる。
【０００８】
ここで、矩形形状とは平面視で長方形形状（正方形も含む）をいう。但し、本発明の権利範囲に含まれることを意図的に避ける目的又はその他の目的で、一部に切り欠き部や隙間部が設けられている場合であっても、略矩形形状を有しており、同一の効果を有する場合には、本発明の保護範囲に含まれるものである。
【０００９】
また、直方体には立方体も含むものとする。
そして、板状体は、折り曲げ可能な材質であれば、段ボールや強化紙等の紙類、プラスティック等、材質は問わないものである。
【００１０】
また、第１補強部及び第２補強部の波形形状部は、第２側面部又は上記第４側面部の辺長の少なくとも１／２以上の部分にそって配置されているものであれば、いかなる形状、形態であってもよい。
また、第３補強部は、側面視で筒状部が形成されるように構成されている場合には、壁体が一部２重に形成されている部分を含むなど、筒の形状（管状体でもよい）などその形態は問わない。
また、側面視で開口部が下向きであるコ字状部は、開口部を下向きにして当該コ字状部に剛性を持たせようとするものであるため、その一部にコ字状部が設けられていればよいものである。
【００１１】
また、第４行部は、少なくとも第２側面部、第４側面部及び底面部を構成可能であればよいが、その他の面（例えば、上面部）を構成可能であってもよい。
さらに、隣接する各行部分の少なくとも一方（例えば、第１行部は、第２行部と第５行部と接合されている可能性があるが、少なくともそのどちらか一方、両方でもよい）と接合されていれば、どの位置で行間が切断されていてもよい。
【００１２】
また、本発明のトイレの内部空間を覆うための袋体を開口部から挿入可能となるように構成すれば、排泄物の処理を容易に行うことができるため好適である。その際において、袋体の内部に、粒状や粉状の排泄物処理材（吸水材、消臭剤、除菌剤等を含む）を充填可能とすればさらに好適である。
【００１３】
本発明によれば、上記右第５区分体及び上記左第５区分体は、波形形状部を備えているため、薄板状の材料であっても所定の強度を維持することができる。また、当該波形形状部は、第２側面部又は第４側面部にそって、上記第２側面部及び上記第４側面部の辺長の少なくとも１／２以上の部分にそって配置されているため、荷重が載置される上面部の第２側面部側又は第４側面部側の部分を下方から支持することにより効果的に補強することができる。
また、本発明において、筒状又は側面視で開口部が下向きのコ字状である第３補強部が第３側面部にそって配置されている場合には、荷重が載置される上面部において最も強度が弱い、第３側面部側の部分を下側から支持することができるため、効果的に補強することが可能となる。
【００１４】
さらに、本発明によれば、矩形形状の板状体から形成されているため、原材料の無駄を効果的に防止することができ、安価に製造することができる。
【００１５】
さらに、本発明の組立式トイレは、矩形形状の板状体が、折り曲げ可能な区画線又は切取線により、５行×３列の矩形形状に画設されており、組立時において直方体形状となる組立式トイレであって、第１側面部と、上面部の第３補強部とを形成する第１行部と、上記第１行部に隣接し、上記上面部と、上記上面部の第３補強部とを形成する第２行部と、上記第２行部に隣接し、上記第１側面部に対向する第３側面部を形成する第３行部と、上記第３行部に隣接し、少なくとも第２側面部、上記第２側面部に対向する第４側面部及び底面部を形成する第４行部と、上記第４行部に隣接し、上記上面部の第１補強部及び上記上面部の第２補強部と、上記第１側面部を形成する第５行部と、を備え、上記上面部に開口部が形成されており、上記第１補強部は、上記組立時において、上記行方向に直行する複数本の区画線により区画され、上記行方向の一本又は複数本の区画線により、上記第１側面部に近接した位置に配置可能である第１側面部近接部と、上記第２側面部にそって、上記第２側面部の辺長の少なくとも１／２以上の部分にそって配置可能である第２側面部方向部とを備え、上記第２補強部は、上記組立時において、上記行方向に直行する複数本の区画線により区画され、上記行方向の一本又は複数本の区画線により、上記第１側面部に近接した位置に配置可能である第１側面部近接部と、上記第４側面部にそって、上記第４側面部の辺長の少なくとも１／２以上の部分にそって配置可能である第４側面部方向部とを備えるとともに、上記第３補強部は、上記行方向の一本又は複数本の区画線により、筒状部又は側面視で開口部が下向きであるコ字状部が形成されるように構成されており、上記第３側面部にそって配置されているものとすることもできる。
【００１６】
ここで、第１側面部近接部は、第１側面部に近接した位置において、当該第１側面部と並設されていれば（略平行となる位置に設けられていることがより好ましい）、その長さ等に制限はなく、複数回にわたって折り返されている等されていてもよい。
また、第２側面部方向部又は第４側面部方向部は、第２側面部又は第４側面部と並設されていれば（略平行となる位置に設けられていることがより好ましい）、直線状、波形形状等いずれの形状であってもよい。
【００１７】
本発明によれば、上記右第５区分体及び上記左第５区分体は、第１側面部近接部と、第第２側面部方向部及び第４側面部方向部を備えている。
そして、第１側面部近接部は、第１側面部に近接した位置に並設されているため、荷重が載置される上面部の第１側面部側の部分を下方から支持することにより効果的に補強することができる。
また、第２側面部方向部及び第４側面部方向部を備えているため、荷重が載置される上面部の第２側面部及び第４側面部側の部分を下方から支持することにより効果的に補強することができる。
【００１８】
また、本発明の組立式トイレにおいて、上記第２行部は、中央第２区分体と、上記中央第２区分体を挟んで配置されている右第２区分体と左第２区分体から形成され、少なくとも、上記右第２区分体及び上記左第２区分体の一方と、上記中央第２区分体とが所定の上記区画線に沿って折り曲げられて重ね合わせられることにより上記上面部が形成されており、さらに、上記右第２区分体及び上記左第２区分体の一方と、上記中央第２区分体とには開口部が形成され、上記各開口部が連通している構成とするものであってもよい。
【００１９】
本発明によれば、右第２区分体及び左第２区分体の一方と、中央第２区分体とには開口部が形成されており、当該各開口部が連通しているため、開口部を容易に設けることができる。
【００２０】
また、本発明の組立式トイレにおいて、上記第２行部における、少なくとも２つの上記各開口部のうち、さらに少なくとも一つには、折り返し可能である上記第１補強部及び上記第２補強部の移動防止片が形成されている構成とするものであってもよい。
【００２１】
ここで、第２行部における、少なくとも２つの各開口部のうちいずれかの一つ、複数または、総てに移動防止片が設けられていればよく、その形状も問わないものである。
【００２２】
本発明によれば、各開口部における第１補強部及び第２補強部の移動防止片を底面部方向に折り込むことにより、容易に第１補強部及び第２補強部の位置決めをすることができるため、簡易な手段により、強度の確保が可能となる。
【００２３】
また、本発明の組立式トイレにおいて、第２行部における、少なくとも２つの上記各開口部のうち、さらに少なくとも一つには、折り返し可能である袋体係止片が形成されている構成とするものであってもよい。
【００２４】
ここで、第２行部における、少なくとも２つの各開口部のうちいずれかの一つ、複数または、総てに袋体係止片が設けられていればよく、その形状も問わないものである。
【００２５】
本発明によれば、各開口部のうちの少なくとも一つにおいて、袋体係止片が形成されているため、当該袋体係止片を折り返して、容易に排泄物を入れる袋体の開口縁部を係止することが可能となる。
【発明の効果】
【００２６】
本発明によれば、使用材料の無駄を極力なくし、簡易な構造で、所定強度を有し、繰り返し使用することを可能とした組立式トイレを提供することができる。
【図面の簡単な説明】
【００２７】
【図１】本発明の組立式トイレ（第１実施形態）の展開図である。
【図２】本発明の組立式トイレ（第１実施形態）の組立方法の第１段階を示す説明図（平面図）である。
【図３】本発明の組立式トイレ（第１実施形態）の組立方法の第２段階を示す説明図（平面図）である。
【図４】本発明の組立式トイレ（第１実施形態）の組立方法の第３段階を示す説明図（斜視図）である。
【図５】本発明の組立式トイレ（第１実施形態）の組立方法の第４段階を示す説明図（平面図）である。
【図６】本発明の組立式トイレ（第１実施形態）の組立方法の第５段階を示す説明図（斜視図）である。
【図７】本発明の組立式トイレ（第１実施形態）の組立終了時を示す斜視図である。
【図８】本発明の組立式トイレ（第２実施形態）の展開図である。
【図９】本発明の組立式トイレ（第２実施形態）の組立方法の第１段階を示す説明図（平面図）である。
【図１０】本発明の組立式トイレ（第２実施形態）の組立方法の第２段階を示す説明図（斜視図）である。
【図１１】本発明の組立式トイレ（第２実施形態）の組立方法の第３段階を示す説明図（斜視図）である。
【図１２】本発明の組立式トイレ（第２実施形態）の組立方法の第４段階を示す説明図（斜視図）である。
【図１３】本発明の組立式トイレ（第３実施形態）の展開図である。
【図１４】従来の組立式トイレの展開図である。
【図１５】従来の組立式トイレの斜視図である。
【発明を実施するための形態】
【００２８】
本発明の組立式トイレＴ（以下、「本トイレ」という。）を実施するための一形態（以下、「実施形態」という。）について、図面を参照して詳細に説明する。なお、以下の説明において、同一の部材、要素等には同一の符合を付し、重複した説明を省略する。
【００２９】
＜第１実施形態＞
１．組立前の本トイレＴの構成
組立前の本トイレＴの第１実施形態は、段ボールを材料としており、保管場所等における収納時には、長方形（矩形）形状の板状体であり（図１）、完成時には直方体形状となるように形成されている。
なお、以下、説明の便宜上、本トイレＴの六面を、図７の紙面左前側の細長面を前面部（第１側面部）と称し、以下、反時計回りに、右側面部（第２側面部）、背面部（第３側面部）及び左側面部（第４側面部）、上面を上面部、下面を底面部と称する。
また、下記第１行部１乃至第５行部５と平行となる向きを行方向と称し、第１行部１乃至第５行部５と直交する向きを列方向と称する。
【００３０】
本トイレＴは、組立前において、長辺を横幅方向、短辺を縦幅方向としたときに、５行×３列である合計１５個の長方形部（長方形形状）に分割（画設）されている。
なお、以下、説明の便宜上、各行を、図１における上側から順に、第１行部１、第２行部２、第３行部３、第４行部４及び第５行部５と称する（本トイレＴにおいて、第１行部１と第２行部２、第２行部２と第３行部３、第３行部３と第４行部４、第４行部４と第５行部５はそれぞれ隣接することになる）。
【００３１】
（１）第１行部１
第１行部１は、側面のうちの前面部（第１側面部）を形成する部分である。
この第１行部１は、中央の第１区分体１Ｃ（以下、「中央第１区分体」という。）と、当該中央第１区分体１Ｃを挟んで右側に形成されている右第１区分体１Ｒと、左側に形成されている左第１区分体１Ｌから形成されている（以下、各区分体を同様に呼称する）。中央第１区分体１Ｃ、右第１区分体１Ｒ及び左第１区分体１Ｌは同一の縦幅であり、かつ、右第１区分体１Ｒと左第１区分体１Ｌは、中央第１区分体１Ｃの列方向の中間線を対称線として左右対称に形成されている。
【００３２】
上記中央第１区分体１Ｃと中央第２区分体２Ｃの間は谷折りの区画線（折曲線）、右第１区分体１Ｒと右第２区分体２Ｒの間は山折りの区画線、左第１区分体１Ｌと左第２区分体２Ｌの間は山折りの区画線により、それぞれ折り曲げ可能に区画されている（なお、図１，図２において、破線は山折りの区画線、一点鎖線は谷折りの区画線、実線は切断線を表す）。
【００３３】
さらに、中央第１区分体１Ｃと右第１区分体１Ｒの間及び中央第１区分体１Ｃと左第１区分体１Ｌの間はそれぞれ予め切り離されているが、三つの区分体が重ね合わせられて前面部となるように形成されている。
なお、組み立てを行う上では、上記切り離されている箇所が予め切断されていることが好ましいが、使用者等が組み立てを行う際に、上記切断すべき箇所を切断するものであってもよい（この場合においては、予めミシン目等を形成しておくことも可能である）（以下の切り離されている箇所も同様である）。
【００３４】
（２）第２行部２
第２行部２は、上面部を形成する部分である。
この第２行部２は、中央第２区分体２Ｃと、当該中央第２区分体２Ｃを挟んで右側に形成されている右第２区分体２Ｒと、左側に形成されている左第２区分体２Ｌから形成されている。中央第２区分体２Ｃ、右第２区分体２Ｒ及び左第２区分体２Ｌは同一の縦幅であり、かつ、右第２区分体２Ｒと左第２区分体２Ｌは、中央第２区分体２Ｃの列方向の中間線を対称線として左右対称に形成されている。
【００３５】
中央第２区分体２Ｃと中央第３区分体３Ｃの間は谷折りの区画線（折曲線）、右第２区分体２Ｒと右第３区分体３Ｒの間は山折りの区画線、左第２区分体２Ｌと左第３区分体３Ｌの間は山折りの区画線により折り曲げ可能に区画されている。また、中央第２区分体２Ｃと右第２区分体２Ｒの間及び中央第２区分体２Ｃと左第２区分体２Ｌの間は、予め切り離されているが、三重に重ね合わせられることにより上面部となるように形成されている。
【００３６】
中央第２区分体２Ｃ、右第２区分体２Ｒ及び左第２区分体２Ｌには、各々が重ねられたときに完全に同一位置及び同一形状となるように略楕円形である開口部２Ｃａ，２Ｒａ，２Ｌａが開閉自在となるように形成されている。
すなわち、中央第２区分体２Ｃには、左端部以外の略楕円形の周縁部分が切り離され、略楕円形状である蓋体２Ｃｂを上下に移動させることにより、開口部２Ｃａが開閉できるようになっている。
【００３７】
また、右第２区分体２Ｒには、右側端部及び左側端部以外の楕円形の周縁部分と当該楕円形を二等分する中間線が切り離されることにより、対向する向きに、略半楕円形状である袋体係止片２Ｒｂ，２Ｒｃが設けられており、当該袋体係止片２Ｒｂ，２Ｒｃを上下に移動させ、観音開きとなることにより、開口部２Ｒａが開閉できるようになっている。
そして、左第２区分体２Ｌには、右側端部及び左側端部以外の楕円形の周縁部分と当該楕円形を二等分する中間線が切り離されることにより、対向する向きに、略半楕円形状である移動防止片２Ｌｂ，２Ｌｃが設けられており、当該移動防止片２Ｌｂ，２Ｌｃを上下に移動させ、観音開きとなることにより、開口部２Ｌａが開閉できるようになっている。
【００３８】
なお、この右第２区分体２Ｒ及び左第２区分体２Ｌは、左右対称に形成されているものであり、双方が同様の役割を兼ねることができる。したがって、右第２区分体２Ｒの袋体係止片２Ｒｂ，２Ｒｃに移動防止片の機能を担わせ、左第２区分体２Ｌの移動防止片２Ｌｂ，２Ｌｃに袋体係止片の機能を担わせることとすることもできる。
また、中央第２区分体２Ｃ、右第２区分体２Ｒ及び左第２区分体２Ｌの開口部２Ｃａ，２Ｒａ，２Ｌａは、単に開口していてもよい。その場合には、臭気を防ぐために、上面の開口部２Ｃａを閉塞するための蓋体を別に設けることもできる。
【００３９】
（３）第３行部３
第３行部３は背面部を形成する部分である。
この第３行部３は、中央第３区分体３Ｃと、当該中央第３区分体３Ｃを挟んで右側に形成されている右第３区分体３Ｒと、左側に形成されている左第３区分体３Ｌから形成されている。中央第３区分体３Ｃ、右第３区分体３Ｒ及び左第３区分体３Ｌは同一の縦幅であり、かつ、右第３区分体３Ｒと左第３区分体３Ｌは、中央第３区分体３Ｃの列方向の中間線を対称線として左右対称に形成されている。
【００４０】
中央第３区分体３Ｃと右第３区分体３Ｒとの間は谷折りの区画線、中央第３区分体３Ｃと左第３区分体３Ｌとの間は谷折りの区画線、中央第３区分体３Ｃと中央第４区分体４Ｃの間は谷折りの区画線により、それぞれ折り曲げ可能に区画されている。
また、右第３区分体３Ｒと右第４区分体４Ｒの間及び左第３区分体３Ｌと左第４区分体４Ｌの間は、予め切り離されている。
【００４１】
（４）第４行部４
第４行部４は、底面部、右側面部、左側面部及び上面部を形成する部分である。
この第４行部４は、底面部を形成する中央第４区分体４Ｃと、当該中央第４区分体４Ｃを挟んで右側に形成されている右第４区分体４Ｒと、左側に形成されている左第４区分体４Ｌから構成されている。右第４区分体４Ｒと左第４区分体４Ｌは、さらに、中央第４区分体４Ｃの側から、右側面構成部４１Ｒ及び右上面構成部４２Ｒと、左側面構成部４１Ｌ及び左上面構成部４２Ｌから構成されている。そして、中央第４区分体４Ｃ、右第４区分体４Ｒ及び左第４区分体４Ｌは同一の縦幅であり、かつ、右第４区分体４Ｒ（右側面構成部４１Ｒ及び右上面構成部４２Ｒ）と、左第４区分体４Ｌ（左側面構成部４１Ｌ及び左上面構成部４２Ｌ）は、中央第４区分体４Ｃの列方向の中間線を対称線として左右対称に形成されている。
【００４２】
中央第４区分体４Ｃと右第４区分体４Ｒとの間は谷折りの区画線、中央第４区分体４Ｃと左第４区分体４Ｌとの間は谷折りの区画線、中央第４区分体４Ｃと中央第５分体５Ｃの間は谷折りの区画線、右側面構成部４１Ｒ及び右上面構成部４２Ｒの間は谷折りの区画線、第４行部４の左側面構成部４１Ｌ及び左上面構成部４２Ｌの間は谷折りの区画線により、それぞれ折り曲げ可能に区画されている。
また、右第４区分体４Ｒと右第５区分体５Ｒの間及び左第４区分体４Ｌと左第５区分体５Ｌの間は、予め切り離されている。
【００４３】
右上面構成部４２Ｒと左上面構成部４２Ｌには、右自由端の縁部及び左自由端の縁部において、当該部分を一端としている略半楕円形となる開口部４２Ｒａ，４２Ｌａが形成されている。この右上面構成部４２Ｒと左上面構成部４２Ｌにより、上面部を形成した場合に、各開口部４２Ｒａ，４２Ｌａが一体となって、中央第２区分体２Ｃ、右第２区分体２Ｒ及び左第２区分体２Ｌに形成される開口部２Ｃａ，２Ｒａ，２Ｌａと同一形状の略楕円形状であり、同一の位置に重なって連通するように形成されている。
【００４４】
（５）第５行部５
第５行部５は、第１補強部、第２補強部と、前面部を形成する部分である。
この第５行部５は、前面部を構成する中央第５区分体５Ｃと、当該中央第５区分体５Ｃを挟んで右側に形成されており、第１補強部に相当する右第５区分体５Ｒと、左側に形成されており、第２補強部に相当する左第５区分体５Ｌから構成されている。中央第５区分体５Ｃ、右第５区分体５Ｒ及び左第５区分体５Ｌは同一の縦幅であり、かつ、当該右第５区分体５Ｒと左第５区分体５Ｌは、中央第５区分体５Ｃの列方向の中間線を対称線として左右対称に形成されている。左右対称に構成されている。
【００４５】
この右第５区分体５Ｒと左第５区分体５Ｌは、各自由端の縁部に形成された折込端部５７Ｒ，５７Ｌと、当該折込端部５７Ｒ，５７Ｌと、中央第５区分体５Ｃとの間に設けられている６つの各連設部５６Ｒ，５５Ｒ，５４Ｒ，５３Ｒ，５２Ｒ，５１Ｒ，５６Ｌ，５５Ｌ，５４Ｌ，５３Ｌ，５２Ｌ，５１Ｌから形成されている。各連設部５６Ｒ，５５Ｒ，５４Ｒ，５３Ｒ，５２Ｒ，５１Ｒ，５６Ｌ，５５Ｌ，５４Ｌ，５３Ｌ，５２Ｌ，５１Ｌは、行方向に直行する列方向の６本の区画線によって画設されており、組立時において、折込端部５７Ｒ，５７Ｌとの境の区画線を谷折りとし、順に、山折り、山折り、谷折り、山折り、山折りの各区画線により区画され、折り曲げることにより、平面視で緩やかな山形である波形形状が形成されるようになっている（図４参照）。
【００４６】
そして、この右第５区分体５Ｒと左第５区分体５Ｌは、折込端部５７Ｒ，５７Ｌが背面部の側面端部に接するように構成されており、右側面部及び左側面部（隣接する第４区分体４の縦幅方向）の全域にわたって、上面部と底面部の間に配置されるように構成されている。
なお、この折込端部５７Ｒ，５７Ｌに、接着剤や両面テープ等を塗布、貼付しておくことにより、強固に接着させておくこともできる。
【００４７】
上記のとおり、各行を構成する各区分体の縦長がそれぞれ等しく、かつ、各列を構成する各区分体の横長がそれぞれ等しく形成されているとともに、行方向に対する垂線を対称軸として、上記各区分体が、中央第１区分体１Ｃ乃至中央第５区分体５Ｃの列方向の中間線を対称線として左右対称に形成されている。
そして、各区分体において、同一の面に対応する部分は、同一の寸法になるように形成されている。
【００４８】
２．組立方法
本トイレＴの組立方法について説明する。
【００４９】
（１）第１行部１乃至第３行部３の重ね合わせ（図２）
まず、右第１区分体１Ｒ乃至右第３区分体３Ｒを列方向の区画線にそって折り曲げ、中央第１区分体１Ｃ乃至中央第３区分体３Ｃの上に重ねるとともに、左第１区分体１Ｌ乃至左第３区分体３Ｌを列方向の区画線にそって折り曲げて、右第１区分体１Ｒ乃至右第３区分体３Ｒの上に重ねる（以下、この部分を「重合部」ということがある。）。
なお、この場合において、右第１区分体１Ｒと左第１区分体１Ｌ（右第２区分体２Ｒ及び左第２区分体２Ｌと右第３区分体３Ｒ及び左第３区分体３Ｌも同様）は、左右対称に形成されているため、いずれが上方に重ねられるものであってもよい。
【００５０】
（２）第４行部４及び第５行部５の組立（図２〜図４）
次に、第５行部５の右第５区分体５Ｒと左第５区分体５Ｌを区画線にそって折り曲げて、波形形状となるように、各連設部５１Ｒ，５２Ｒ，５３Ｒ，５４Ｒ，５５Ｒ，５６Ｒ，５１Ｌ，５２Ｌ，５３Ｌ，５４Ｌ，５５Ｌ，５６Ｌ及び折込端部５７Ｒ，５７Ｌを形成する。そして、第５行部５を行方向の区画線にそって９０度立ち上げるとともに、右第５区分体５Ｒと左第５区分体５Ｌを中央第４区分体４Ｃの上方に位置するように配置する。
そして、第４行部４の右側面構成部４１Ｒ及び右上面構成部４２Ｒと、左側面構成部４１Ｌ及び左上面構成部４２Ｌを区画線にそって９０度立ち上げ、右上面構成部４２Ｒと左上面構成部４２Ｌを９０度折り曲げることにより、右側面部、左側面部及び上面部を形成する。
【００５１】
（３）右第５区分体５Ｒと左第５区分体５Ｌの固定（図５）
次に、重合部を９０度、上方に立ち上げることにより背面部を形成する。そして、左第１区分体１Ｌ及び左第２区分体２Ｌを９０度、折り曲げ、当該左第２区分体２Ｌを右上面構成部４２Ｒと左上面構成部４２Ｌの上部に配置し、左第１区分体１Ｌを中央第５行区分体５Ｃの内側に配置することにより、前面部及び上面部を形成する。
【００５２】
そして、左第２区分体２Ｌの左右の移動防止片２Ｌｂ，２Ｌｃを下方に垂直に折り曲げ、右第５区分体５Ｒにおける連設部５２Ｒ及び連設部５３Ｒの境となる区画線と、連設部５４Ｒ及び連設部５５Ｒの境となる区画線、並びに、左第５区分体５Ｌにおける連設部５２Ｌ及び連設部５３Ｌの境となる区画線と、連設部５４Ｌ及び連設部５５Ｌの境となる区画線との部分において、接触させることにより固定する。
【００５３】
（４）排泄物収容袋Ｆの装着（図６）
次に、右第２区分体２Ｒを左第２区分体２Ｌの上部に配置し、右第１区分体１Ｒを、中央第５区分体５Ｃの内側であり、かつ、左第１区分体１Ｌの外側に配置することにより、前面部及び上面部を形成する。
右第２区分体２Ｒの袋体係止２Ｒｂ，２Ｒｃを上方に折り曲げ、ポリエチレン製等の不透水性の排泄物収容袋Ｆの開口縁部の一部に掛け、当該袋体係止２Ｒｂ，２Ｒｃの上面が右第２区分体２Ｒの上面に接するように１８０度折り曲げることにより、排泄物収容袋Ｆを装着する。
この排泄物収容袋Ｆの内部には、粒状、粉状等に形成された公知の排尿処理材（吸水処理材、芳香剤等）（図示せず）を充填する。
【００５４】
（５）組立完了（図７）
最後に、中央第２区分体２Ｃを右第２区分体２Ｒの上部に配置し、袋体係止片２Ｒｂ，２Ｒｃを上側から押圧する。そして、中央第１区分体１Ｃを、中央第５区分体５Ｃの内側であり、かつ、右第１区分体１Ｒの外側に配置することにより前面部及び上面部を形成し、本トイレＴの組立が完了する。
【００５５】
３．製造方法
本トイレＴは、公知の方法により製造可能である。
すなわち、本トイレＴは、段ボールシートの上記所定の位置に山折りの区画線、谷折りの区画線が形成されるようにプレス加工するとともに、所定の位置を切断することにより製造することができる。
【００５６】
４．使用方法
本トイレＴの使用方法を説明する。
まず、上記組立方法にしたがって、本トイレＴを組み立てる。
そして、蓋部となっている上面部における蓋体２Ｃｂを開いて開口部２Ｃａを形成し、上面部に跨って、当該開口部２Ｃａから内部に排泄を行う。排泄後は、蓋部２Ｃａを閉じることにより、臭気を外部に放出することなく、保管することができる。
【００５７】
一方、排泄物が所定量を超えた場合には、上面部の一面を開放し、排泄物収容袋Ｆを取り出して、当該排泄物収容袋Ｆのみを廃棄することができる。
この場合において、再度、本トイレＴを使用する場合には、排泄物収容袋Ｆを装着し直すことで対応が可能である。
また、本トイレＴを使用しない場合には、上記組立方法と逆の手順で、板状に戻すことができる。
【００５８】
５．作用効果
本トイレＴによれば、第５行部５において、第１補強部である右第５区分体５Ｒ及び第２補強部である左第５区分体５Ｌが形成されており、当該第１補強部及び第２補強部は、組立時において、波形となるように形成されているため、薄板状の材料であっても所定の強度を維持することができる。また、第１補強部及び第２補強部は、隣接する右側面部及び左側面部にそって、縦幅方向の全域に配置されているため、荷重が載置される上面部の右側面部側の部分と左側面部側の部分を下側から支持することにより効果的に補強することができる。
【００５９】
また、本トイレＴによれば、矩形形状の板状体から形成されており、切除する部分がないため、原材料の無駄を効果的に防止することができ、安価に製造することができる。
【００６０】
また、本トイレＴによれば、中央第２区分体２Ｃ、右第２区分体２Ｒ及び左第２区分体２Ｌには、各々が重ねられたときに完全に同一位置及び同一形状となるように略楕円形である開口部２Ｃａ，２Ｒａ，２Ｌａが開閉自在となるように形成されており、当該各開口部２Ｃａ，２Ｒａ，２Ｌａが連通しているため、排泄を行うための開口部２Ｃａを容易に設けることができる。
【００６１】
また、本トイレＴによれば、移動防止片２Ｌｂ，２Ｌｃを開口部２Ｌａの底面部方向に折り込むことにより、容易に第１補強部及び第２補強部の位置決めをすることができるため、簡易な手段により、強度の確保が可能となる。
【００６２】
また、本トイレＴによれば、袋体係止片２Ｒｂ，２Ｒｃが設けられているため、当該袋体係止片２Ｒｂ，２Ｒｃを折り返して、容易に排泄物収容袋Ｆの開口縁部を係止し、簡単に装着することができる。
さらに、当該排泄物収容袋Ｆのみを容易に交換することができるため、汚物処理が簡単にできるため、繰り返して使用することができる。
また、排泄物収容袋Ｆの内部に各種の排尿処理材を充填しておくことにより、排尿を吸水することや臭気を防止することができ、衛生上も好適である。
【００６３】
また、本トイレＴは、上面部を第２行部２の３つの区分体２Ｃ，２Ｒ，２Ｌにより形成し、袋体防止片２Ｒｂ，２Ｒｃを上から２枚目の部位に設けることにより、排泄物収容袋Ｆの係止部を隠すことができるため、美観に優れたものとすることができる。
【００６４】
＜第２実施形態＞
１．組立前の本トイレＴ’の構成
組立前の本トイレＴ’（第２実施形態）は、上記第１実施形態の本トイレＴと比較して、第２行部２’の左第２区分体２Ｌ’及び、第５行部５’における第１補強部及び第２補強部のみが異なっている（図８）。以下、主として、異なっている部分を中心に説明する。
【００６５】
（１）第１行部１
第１行部１は、中央第１区分体１Ｃと、当該中央第１区分体１Ｃを挟んで右側に形成されている右第１区分体１Ｒと、左側に形成されている左第１区分体１Ｌとから形成されている。
但し、左第１区分体１Ｌは、後記するように第３補強部の一部となるため、中央第１区分体１Ｃ及び右第１区分体１Ｒのみが、区画線（折り目形成線）の部分で折り曲げられ、二つの区分体が重ね合わせられて前面部となる。
【００６６】
（２）第２行部２’
第２行部２’は、中央第２区分体２Ｃと、当該中央第２区分体２Ｃを挟んで、右側に形成されている右第２区分体２Ｒと、左側に形成されている左第２区分体２Ｌ’から形成されている。中央第２区分体２Ｃ、右第２区分体２Ｒ及び左第２区分体２Ｌ’は同一の縦幅であり、かつ、右第２区分体２Ｒと左第２区分体２Ｌ’の基本構造（但し、区画線の入れ方は異なる）は、中央第２区分体２Ｃの列方向の中間線を対称線として左右対称に形成されている。
【００６７】
左第２区分体２Ｌ’は、左第１区分体１Ｌから左第３区分体３Ｌの方向に向かって順に、第１壁体部２１Ｌ、第２壁体部２２Ｌ、第３壁体部２３Ｌから構成されており、左第１区分体１Ｌと第１壁体部２１Ｌの間、各壁体部間及び第３壁体部２３Ｌと左第３区分体３Ｌの間は、行方向に設けられている山折りの各区画線により折り曲げ可能に区画されており、この部分が第３補強部となるように形成されている。
但し、左第２区分体２Ｌ’には、開口部は形成されていない。
【００６８】
また、中央第２区分体２Ｃ及び右第２区分体２Ｒは、区画線に沿って折り曲げられて、二重に重ね合わせられることにより、上面部となるように形成されている。
【００６９】
なお、この右第２区分体２Ｒ及び左第２区分体２Ｌ’の基本構造は、左右対称に形成されているものであり、双方が同様の役割を担わせることができる。したがって、左第２区分体２Ｌ’の構成と右第２区分体２Ｒの構成を入れ替えて形成することも可能である。
【００７０】
（３）第３行部３
第３行部３は、中央第３区分体３Ｃと、当該中央第３区分体３Ｃを挟んで右側に形成されている右第３区分体３Ｒと、左側に形成されている左第３区分体３Ｌから形成されている。
但し、左第３区分体３Ｌは、第３補強部の一部となるため、中央第３区分体３Ｃ及び右第３区分体３Ｒが区画線の部分で折り曲げられ、二つの区分体が重ね合わせられて前面部となる。
【００７１】
上記により、左第１区分体１Ｌ、左第２区分体２Ｌ’ （第１壁体部２１Ｌ、第２壁体部２２Ｌ、第３壁体部２３Ｌ）及び左第３区分体３Ｌを行方向に形成されている４本の各区画線により折り曲げることにより、筒状体を形成することができるようになっている。そして、この筒状体が、上面部と底面部の間であって、背面部に接する位置に配置される第３補強部となるように形成されている。
なお、各部の寸法は、第３補強部が直方体形状の筒状体（但し、側面部はない）となるように適切に形成される必要がある。
【００７２】
（４）第５行部５’
第５行部５’は、第１補強部、第２補強部と、前面部を形成する部分である。
この第５行部５’は、前面部を構成する中央第５区分体５Ｃと、当該中央第５区分体５Ｃを挟んで右側に形成されており、第１補強部に相当する右第５区分体５Ｒ’と、左側に形成されており、第２補強部に相当する左第５区分体５Ｌ’から構成されている。中央第５区分体５Ｃ、右第５区分体５Ｒ’及び左第５区分体５Ｌ’は同一の縦幅であり、かつ、当該右第５区分体５Ｒ’と左第５区分体５Ｌ’
は、中央第５区分体５Ｃの列方向の中間線を対称線として左右対称に形成されている。
【００７３】
この右第５区分体５Ｒ’と左第５区分体５Ｌ’は、各自由端の縁部に形成された折込端部５５Ｒ’，５５Ｌ’と、当該折込端部５５Ｒ’，５５Ｌ’と、中央第５区分体５Ｃとの間に設けられている４つの各連設部５４Ｒ’，５３Ｒ’，５２Ｒ’，５１Ｒ’，５４Ｌ’，５３Ｌ’，５２Ｌ’，５１Ｌ’から形成されている。各連設部５４Ｒ’，５３Ｒ’，５２Ｒ’，５１Ｒ’，５４Ｌ’，５３Ｌ’，５２Ｌ’，５１Ｌ’は、列方向の４本の区画線によって画設されており、組立時において、折込端部５５Ｒ’，５５Ｌ’との境の区画線を谷折りとし、順に、山折り、山折り、谷折りの各区画線により区画され、折り曲げることにより、平面視で凸状の波形形状が形成されるようになっている（図８）。
【００７４】
そして、この右第５区分体５Ｒ’と左第５区分体５Ｌ’は、折込端部５５Ｒ’，５５Ｌ’が第３補強部の列方向の側面に接するように構成されており、中央第４区分体４Ｃの縦幅方向の領域にわたって、上面部と底面部の間に配置されるように構成されている。
なお、この折込端部５５Ｒ’，５５Ｌ’上記第３補強部の列方向の側面に形成される空間部に挿入することにより、接合させておくこともできる。
【００７５】
なお、本トイレＴ’の変形例として、左第２区分体２Ｌ’において、左第１区分体１Ｌと第１壁体部２１Ｌとの間の区画線に折目を形成せず、第１壁体部２１Ｌと第２壁体部２２Ｌとの間の区画線を谷折りにすることにより、第３補強部が側面視において、開口部が下向きのコ字形状（全体が柄杓形状であり、開口部を下向きにした形状）が形成されるようにしてもよい。この場合には、第３補強部と底面部により、筒状体が形成されるため、上記実施形態の本トイレＴ’と同様の効果を奏することになる。
【００７６】
２．組立方法
本トイレＴ’の組立方法について説明する。
（１）第１行部１乃至第３行部３の重ね合わせ（図８）
まず、右第１区分体１Ｒ乃至右第３区分体３Ｒを列方向の切込線と区画線にそって折り曲げ、中央第１区分体１Ｃ乃至中央第３区分体３Ｃの上に重ねる。
【００７７】
（２）第３補強部の組立（図９，図１０）
次に、左第１区分体１Ｌ乃至左第３区分体３Ｌを行方向の切込線と区画線にそって折り曲げ、筒状体である第３補強部を組み立てる。
【００７８】
（３）第４行部４及び第５行部５の組立（図１１）
次に、第５行部５’の右第５区分体５Ｒ’と左第５区分体５Ｌ’を列方向の区画線にそって折り曲げて、波形形状となるように、各連設部５１Ｒ’，５２Ｒ’，５３Ｒ’，５４Ｒ’，５１Ｌ’，５２Ｌ’，５３Ｌ’，５４Ｌ’及び折込端部５５Ｒ’，５５Ｌ’を形成する。そして、第５行部５’を行方向の区画線にそって９０度立ち上げるとともに、右第５区分体５Ｒ’と左第５区分体５Ｌ’を中央第４区分体４Ｃの上方に位置するように配置する。
【００７９】
そして、第４行部４の右側面構成部４１Ｒ及び右上面構成部４２Ｒと、左側面構成部４１Ｌ及び左上面構成部４２Ｌを区画線にそって９０度立ち上げ、右上面構成部４２Ｒと左上面構成部４２Ｌを９０度折り曲げることにより、右側面部、左側面部及び上面部を形成する。
【００８０】
（４）第３補強部と右第５区分体５Ｒ’の固定（図１１）
次に、第３補強部を９０度、上方に立ち上げて、中央第４区分体４Ｃの長辺方向（行方向）の側面に沿って配置する。そして、中央第１区分体１Ｃ乃至中央第３区分体３Ｃと、右第１区分体１Ｒ乃至右第３区分体３Ｒの重ね合わせ部を９０度上方に立ち上げ、第３補強部の背面側の壁面を密着させることにより背面部を形成する。
【００８１】
（５）排泄物収容袋Ｆの装着（図１２）
次に、右第１区分体１Ｒを中央第５区分体５Ｃの内側に配置することにより、前面部及び上面部を形成する。そして、右第２区分体２Ｒの袋体係止片２Ｒｂ，２Ｒｃを上方に折り曲げ、ポリエチレン製等の不透水性の排泄物収容袋Ｆの開口縁部の一部に掛け、当該袋体係止２Ｒｂ，２Ｒｃの上面が右第２区分体２Ｒの上面に接するように１８０度折り曲げることにより、排泄物収容袋Ｆを装着する。
【００８２】
（６）組立完了
最後に、中央第２区分体２Ｃを右第２区分体２Ｒの上部に配置し、袋体係止片２Ｒｂ，２Ｒｃを上側から押圧する。そして、中央第１区分体１Ｃを、中央第５区分体５Ｃの内側であり、かつ、右第１区分体１Ｒの外側に配置することにより前面部及び上面部を形成し、本トイレＴ’の組立が完了する。
【００８３】
３．作用効果
第２実施形態の本トイレＴ’によれば、第１実施形態のトイレＴとほぼ同様の効果を奏するとともに、第３補強部が背面部に密着し、中央第４区分体４Ｃの横幅方向の全域に配置されているため、荷重が載置される上面部における右側面部側及び左側面部側の部分を下側から支持することが可能となり、効果的に補強することができる。また、第３補強部は閉鎖断面である筒状に形成されており剛性が高いため、上面部の背面部側の部分において上方から作用する荷重を効果的に支持することができる。
【００８４】
＜第３実施形態＞
１．組立前の本トイレＴ”の構成
組立前の本トイレＴ”（第３実施形態）は、上記第２実施形態の本トイレＴ’と比較して、第１行部１”の左第１区分体１Ｌ”及び、第５行部５”における第１補強部及び第２補強部のみが異なっている（図１３）。以下、主として、異なっている部分を中心に説明する。
【００８５】
（１）第１行部１”
第１行部１”は、中央第１区分体１Ｃと、当該中央第１区分体１Ｃを挟んで右側に形成されている右第１区分体１Ｒと、左側に形成されている左第１区分体１Ｌ”とから形成されている
左第１区分体１Ｌ”の所定位置には、後記する第５行部の凸状部５４Ｒａ”，５４Ｌａ”と嵌合する２カ所の貫通孔１Ｌａ”，１Ｌｂ”が形成されている。
【００８６】
（２）第５行部５”
第５行部５”は、第１補強部、第２補強部と、前面部を形成する部分である。
この第５行部”は、前面部を構成する中央第５区分体５Ｃと、当該中央第５区分体５Ｃを挟んで右側に形成されており、第１補強部に相当する右第５区分体５Ｒ”と、左側に形成されており、第２補強部に相当する左第５区分体５Ｌ”から構成されている。中央第５区分体５Ｃ、右第５区分体５Ｒ”及び左第５区分体５Ｌ”は同一の縦幅であり、かつ、当該右第５区分体５Ｒ”と左第５区分体５Ｌ”は、中央第５区分体５Ｃの列方向の中間線を対称線として左右対称に形成されている。
【００８７】
この右第５区分体５Ｒ’と左第５区分体５Ｌ’は、各自由端の縁部に形成された凸状部５４Ｒａ”，５４Ｌａ”を備えた右側面部方向部（第２側面部方向部）５４Ｒ”及び左側面部方向部（第４側面部方向部）５４Ｌ”と、当該右側面部方向部５４Ｒ”及び左側面部方向部５４Ｌ”と接続しており、中央第５区分体５Ｃとの間に設けられている２つの連接部（５３Ｒ”，５２Ｒ”），（５３Ｌ”，５２Ｌ”）とから形成されている。右側面部方向部５４Ｒ”及び左側面部方向部５４Ｌ”と中央第５区分体５Ｃとの間は、列方向の３本の区画線によって画設されており、右側面部方向部５４Ｒ”及び左側面部方向部５４Ｌ”側から、順に、谷折り、山折り、谷折りとなっている。
【００８８】
そして、組立時において、２つの連接部（５３Ｒ”，５２Ｒ”）（５３Ｌ”，５２Ｌ”）が、区画線によって折り曲げられ、一部分が重複した状態となり、前面部にそって略平行となるように、ほぼ長辺の中間部に至る間において、近接して配置（並設）されることにより、右左の前面部近接部（第１側面部近接部）５１Ｒ”，５１Ｌ”が形成されている。
また、右側面部方向部５４Ｒ”と左側面部方向部５４Ｌ”は、右左の前面部近接部５１Ｒ”，５１Ｌ”と直交するように形成されている。
これにより、右側面部方向部５４Ｒ”及び右側の前面部近接部５１Ｒ”と左側面部方向部５４Ｌ”及び左側の前面部近接部５１Ｌ”とは、平面視で略Ｔ字形状となるように配置されることになり、それぞれ、第２補強部及び第１補強部が形成されている。
【００８９】
本トイレＴ”の組立方法は、第２実施形態の本トイレＴ’とほぼ同様であるが、第１補強部及び第２補強部における凸状部５４Ｒａ”，５４Ｌａ”を左第１区分体１Ｌ”の貫通孔１Ｌａ”，１Ｌｂ”に挿入することによって、位置決めして、固定することができるようになっている。
【００９０】
本トイレＴ”は、右左の前面部近接部５１Ｒ”，５１Ｌ”と、右側面部方向部５４Ｒ”及び左側面部方向部５４Ｌ”を備えている。そして、前面部近接部５１Ｒ”，５１Ｌ”は、前面部にそって略平行となるように、近接して配置されているため、荷重が載置される上面部の前面部側の部分を下方から支持することにより効果的に補強することができる。
また、第２実施形態の本トイレＴ’と同様に、右側面部方向部５４Ｒ”及び左側面部方向部５４Ｌ”によっても、上面部における右側面部側及び左側面部側の部分を効果的に補強することができる。
【００９１】
以上、本発明について、好適な実施形態についての一例を説明したが、本発明は当該実施形態に限られず、本発明の趣旨を逸脱しない範囲で適宜設計変更が可能である。
【００９２】
例えば、本トイレは、折り曲げ可能に形成されているものであれば材質等に制限はなく、強度上の問題がなければ、寸法等にも制限はない。
また、第２行部における開口部の形状や、移動防止片、袋体係止片の形状には制限はない。
【００９３】
また、第２行部における最上部の開口部は完全に開かれているものでもよく、その場合において、当該開口部を閉塞するための蓋体を支持するための載置部が形成されていることとすれば、特段の処理をすることなく、容易に、開口部を閉塞することができる。
【００９４】
また、前面部及び上面部は、少なくとも、中央第１区分体、中央第２区分体及び中央第３区分体から形成される必要があるが、必ずしも、右第１区分体、右第２区分体及び右第３区分体、並びに左第１区分体、左第２区分体及び左第３区分体の全てが重ねあわされている必要はなく、部分的に重ね合わせられているものであってもよい（但し、強度を向上させるためには、重ね合わせられる枚数が多いことが好適である）。
【００９５】
さらに、上面部に形成される開口部が、複数重なり合うことによって形成される場合には、下方に位置するに従って、小さく形成されている構成とすれば、特段の処理をすることなく、最上部の開口部を閉塞するための蓋体を載置させることができる。その場合には、開口部が下方に行くに従って、傾斜しているため、尿等の排泄物を効率的にトイレ内部に導くことができるため好適である。
【００９６】
また、本トイレにおいて、排泄物収容袋は上面に装着するものであってもよく、本トイレを一回限りの使い捨て等とするのであれば、必ずしも排泄物収容袋をセットする必要はない。
さらに、排尿処理材の充填も必ずしも必要がなく、充填する場合にも、排泄物収容袋を介することなく、直接的に充填してもよい。
【符号の説明】
【００９７】
Ｔ，Ｔ’ ，Ｔ”    組立式トイレ
１，１”    第１行部
１Ｃ    中央第１区分体
１Ｒ    右第１区分体
１Ｌ，１Ｌ”    左第１区分体
２，２’    第２行部
２Ｃ    中央第２区分体
２Ｒ    右第２区分体
２Ｌ，２Ｌ’    左第２区分体
２１Ｌ    第１壁体部
２２Ｌ    第２壁体部
２３Ｌ    第３壁体部
２Ｃａ，２Ｒａ，２Ｌａ，４２Ｒａ，４２Ｌａ    開口部
２Ｒｂ，２Ｒｃ    袋体係止片
２Ｌｂ，２Ｌｃ    移動防止片
３    第３行部
３Ｃ    中央第３区分体
３Ｒ    右第３区分体
３Ｌ    左第３区分体
４      第４行部
４Ｃ    中央第４区分体
４Ｒ    右第４区分体
４Ｌ    左第４区分体
４１Ｒ    右側面構成部
４２Ｒ    右上面構成部
４１Ｌ    左側面構成部
４２Ｌ    左上面構成部
５，５’ ，５”      第５区分体
５Ｃ    中央第５区分体
５Ｒ，５Ｒ’，５Ｒ”    右第５区分体
５Ｌ，５Ｌ’，５Ｌ”    左第５区分体
５１Ｒ”，５１Ｌ”    前面部近接部（第１側面部近接部）
５４Ｒ”    右側面部方向部（第２側面部方向部）
５４Ｌ”    左側面部方向部（第４側面部方向部）
【図１】
0005794627.tif 000002
【図２】
0005794627.tif 000003
【図３】
0005794627.tif 000004
【図４】
0005794627.tif 000005
【図５】
0005794627.tif 000006
【図６】
0005794627.tif 000007
【図７】
0005794627.tif 000008
【図８】
0005794627.tif 000009
【図９】
0005794627.tif 000010
【図１０】
0005794627.tif 000011
【図１１】
0005794627.tif 000012
【図１２】
0005794627.tif 000013
【図１３】
0005794627.tif 000014
【図１４】
0005794627.tif 000015
【図１５】
0005794627.tif 000016